(57)【要約】【課題】基板支持体と扉外装板との間の寸法を精度よく出すことができて操作不良の懸念を払拭した冷蔵庫の提供。【解決手段】冷蔵庫本体内の貯蔵室を開閉する断熱扉１０に操作表示部３２を設け、この操作表示部は、断熱扉を構成する扉外装板２５と内フレームとの間の下面を覆う横枠２４の長手方向に設けた上向きの基板支持体挿入凹部３７と、この基板支持体挿入凹部に挿入し取付けた基板支持体３１とで構成し、前記基板支持体は操作部３３と表示部３５，３６を扉下端縁に沿うように横設した構成としてある。これにより、扉成型時の発泡ウレタンの発泡圧による基板支持体挿入凹部及びこの基板支持体挿入凹部に挿入固定した基板支持体の変形を抑制することができ、基板支持体に搭載されている操作部に扉外装板の表面側からタッチ操作しても操作不良を起こすようなことを解消することができる。【選択図】図７
2015048985.tif 000002
【特許請求の範囲】
【請求項１】
冷蔵庫本体と、前記冷蔵庫本体内に設けた複数の貯蔵室と、前記貯蔵室の開口部をそれぞれ開閉する複数の断熱扉とを備え、前記各断熱扉は、その扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡ウレタンとで構成し、かつ前記一つの扉の扉外装板に操作表示部を設けた冷蔵庫であって、前記操作表示部は、前記縁枠の前記扉外装板と内フレームとの間の下面を覆う横枠の長手方向に一体形成した上向きの基板支持体挿入凹部と、この基板支持体挿入凹部に挿入し取付けた基板支持体とで構成し、前記基板支持体は操作部と表示部を扉下端縁に沿わせて横設したことを特徴とする冷蔵庫。
【請求項２】
基板支持体に基板支持体挿入凹部の開口を覆う蓋板部を一体形成したことを特徴とする請求項１記載の冷蔵庫。
【請求項３】
基板支持体には基板支持体挿入凹部への挿入によって前後方向の位置決めを行う位置決め部を設けたことを特徴とする請求項１または２記載の冷蔵庫。
【請求項４】
基板支持体の操作部として携帯端末をタッチさせて通信する無線通信部を組み込むとともに、無線通信部を組み込んだ断熱扉下方の貯蔵室の断熱扉の上端部は上方に行くほど後方に傾斜する傾斜面としたことを特徴とする請求項１〜３のいずれか１項記載の冷蔵庫。
【請求項５】
断熱扉の外装板は透明前板で構成するとともに、発泡ウレタンは透明前板外周部分の発泡密度を中央部分の発泡密度より高くした請求項１〜４のいずれか１項記載の冷蔵庫。
【発明の詳細な説明】
【技術分野】
【０００１】
本発明は冷蔵庫に関し、特に扉に操作部や表示部等を設けた冷蔵庫に関するものである。
【背景技術】
【０００２】
一般に冷蔵庫は冷却温度を設定する操作部やその設定を表示する操作部を備えており、その操作部や表示部を扉の表面に臨むように設けて使い勝手を向上させたものがみられるようになってきた（例えば、特許文献１参照）。
【０００３】
図１２（ａ）〜（ｃ）は特許文献１に記載された冷蔵庫を示し、この冷蔵庫は扉１０１の一つに操作表示部１０２が設けてあり、この操作表示部１０２は同図（ｃ）の矢印に示す様に扉１０１の側面開口より基板支持体１０３を挿入した後、当該扉側面開口に蓋板１０４を装着して構成してある。
【０００４】
そして、この冷蔵庫によれば、その操作表示部１０２の基板支持体１０３が扉１０１の表面を構成するガラス板１０５の内側にあって、ガラス板１０５を通して操作できるとともに表示も見えるので、使い勝手が向上するというものである。
【先行技術文献】
【特許文献】
【０００５】
【特許文献１】特開２０１１−３８７１２号公報
【発明の概要】
【発明が解決しようとする課題】
【０００６】
しかしながら上記従来の構成は、基板支持体１０３を扉１０１の側面開口から挿入しているため、基板支持体１０３の左右両端間の中央部分Ｘはガラス板１０５内面との間の寸法精度が出しにくく、場合によっては操作不良を招くという懸念があった。すなわち、基板支持体１０３を取り付ける操作表示基板ケース１０６は扉成型時の発泡断熱材の発泡圧により押圧されて比較的強度の弱い基板支持体１０３の左右両端間中央部分Ｘと対向する部分Ｙが押圧されて寸法精度が出しにくく、その結果この操作表示基板ケース１０６に弾発支持されている基板支持体１０３の中央部分Ｘのガラス板１０５に対する位置寸法がばらつき、ガラス板１０５との間の寸法精度が出しにくくなるという課題があった。
【０００７】
また、上記基板支持体１０３は扉１０１の側面開口から挿入されていて当該側面開口を蓋板１０４で覆った構成となっているため、長期間使用しているうちに台所作業につきものの水が扉側面にかかって基板支持体１０３設置部分に侵入するという懸念もあった。しかも、上記扉側面の開口は基板支持体１０３とは別体の蓋板１０４によって覆っているため、基板支持体１０３の取り付けと蓋板１０４の取り付けを別々に要し、組立性が悪い、という課題もあった。
【０００８】
本発明はこのような従来構造の課題に鑑みてなしたもので、基板支持体と扉外装板との間の寸法を精度よく出すことができて操作不良等の懸念を払拭した冷蔵庫を提供するものである。
【課題を解決するための手段】
【０００９】
本発明は上記目的を達成するため、冷蔵庫本体と、前記冷蔵庫本体内に設けた複数の貯蔵室と、前記貯蔵室の開口部をそれぞれ開閉する複数の断熱扉とを備え、前記各断熱扉は
、その扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡ウレタンとで構成し、かつ前記一つの扉の扉外装板に操作表示部を設けた冷蔵庫であって、前記操作表示部は、前記縁枠の前記扉外装板と内フレームとの間の下面を覆う横枠の長手方向に一体形成した上向きの基板支持体挿入凹部と、この基板支持体挿入凹部に挿入し取付けた基板支持体とで構成し、前記基板支持体は操作部と表示部を扉下端縁に沿わせて横設した構成としてある。
【００１０】
これにより、基板支持体を挿入固定した基板支持体挿入凹部は凹形状であることと、横枠の長手方向に一体形成されていて扉下端からの凹寸法が大きくないところから、その強度が高く変形しにくいものとなっている。その結果、扉成型時の発泡ウレタンの発泡による発泡圧が加わっても基板支持体挿入凹部及びこの基板支持体挿入凹部に挿入固定した基板支持体の変形を抑制することができ、基板支持体と断熱扉の扉外装板との間の寸法は設計通りの正確なものとすることができる。したがって、基板支持体に搭載されている操作部に扉外装板の表面側から操作したときに操作不良を起こすようなことを解消することができるとともに、基板支持体を扉下面に取り付けていることによって扉にかかる水の操作部への侵入懸念も解消することができる。
【発明の効果】
【００１１】
本発明は、操作不良の懸念を払拭できるとともに水侵入の懸念も解消でき、信頼性の高い冷蔵庫を提供することができる。
【図面の簡単な説明】
【００１２】
【図１】本発明の実施の形態１における冷蔵庫の外観斜視図
【図２】同冷蔵庫の正面図
【図３】同冷蔵庫の模式断面図
【図４】同図２のＡ−Ａ断面図
【図５】同冷蔵庫の扉の一つを示す斜視図
【図６】同冷蔵庫の扉の分解斜視図
【図７】同冷蔵庫の扉の下端部構成を示す分解斜視図
【図８】同冷蔵庫の基板支持体と操作ブロック及び表示ブロックを示す分解斜視図
【図９】同冷蔵庫の扉要部の断面図
【図１０】同図５のＢ−Ｂ断面図
【図１１】同図５のＣ−Ｃ断面図
【図１２】従来の冷蔵庫を示し、（ａ）正面図、（ｂ）操作表示部の縦断面図、（ｃ）操作表示部の横断面図
【発明を実施するための形態】
【００１３】
第１の発明は、冷蔵庫本体と、前記冷蔵庫本体内に設けた複数の貯蔵室と、前記貯蔵室の開口部をそれぞれ開閉する複数の断熱扉とを備え、前記各断熱扉は、その扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡ウレタンとで構成し、かつ前記一つの扉の扉外装板に操作表示部を設けた冷蔵庫であって、前記操作表示部は、前記縁枠の前記扉外装板と内フレームとの間の下面を覆う横枠の長手方向に一体形成した上向きの基板支持体挿入凹部と、この基板支持体挿入凹部に挿入し取付けた基板支持体とで構成し、前記基板支持体は操作部と表示部を扉下端縁に沿わせて横設した構成としてある。
【００１４】
これにより、基板支持体を挿入固定した基板支持体挿入凹部は凹形状であることと、横枠の長手方向に一体形成されていて扉下端からの凹寸法が大きくないところから、その強
度が高く変形しにくいものとなっている。その結果、扉成型時の発泡ウレタンの発泡による発泡圧が加わっても基板支持体挿入凹部及びこの基板支持体挿入凹部に挿入固定した基板支持体の変形を抑制することができ、基板支持体と断熱扉の扉外装板との間の寸法は設計通りの正確なものとすることができる。したがって、基板支持体に搭載されている操作部に扉外装板の表面側から操作したときに操作不良を起こすようなことを解消することができるとともに、基板支持体を扉下面に取り付けていることによって扉にかかる水の操作部への侵入懸念も解消することができる。
【００１５】
第２の発明は、第１の発明において、基板支持体に基板支持体挿入凹部の開口を覆う蓋板部を一体形成した構成としてある。
【００１６】
これにより、基板支持体を操作基板挿入凹部へ挿入してその蓋板部を取り付けるだけの一工程で取り付けが完了し、組立性が向上する。
【００１７】
第３の発明は、第１または第２の発明において、基板支持体には基板支持体挿入凹部への挿入によって前後方向の位置決めを行う位置決め部を設けた構成としてある。
【００１８】
これにより、基板支持体を基板支持体挿入凹部に挿入するだけで当該基板支持体の前後方向の位置決めができて扉外装板との間の寸法を精度よく出すことができ、操作不良のより確実な解消が可能となってその信頼性をさらに高めることができる。
【００１９】
第４の発明は、第１〜第３の発明において、基板支持体の操作部として携帯端末をタッチさせて通信する無線通信部を組み込むとともに、無線通信部を組み込んだ断熱扉下方の断熱扉の上端部は上方に行くほど後方に傾斜する傾斜面とした構成としてある。
【００２０】
これにより、使用者が基板支持体の操作ブロックに携帯端末をタッチさせる際、携帯端末を持っている指が操作ブロック下方の断熱扉の上端前面に当たってタッチ操作しにくくなったり、タッチ不足によって通信不良を引き起こすようなことを防止することができ、使い勝手と信頼性をより一段と向上させることができる。
【００２１】
第５の発明は、第１〜第４の発明において、断熱扉の外装板は透明前板で構成するとともに、縁枠は透明前板挿入部のない形状として前記透明前板の外周部は透明前板挿入部で覆うことなくそのまま露出状態とした構成としてある。
【００２２】
これにより、透明前板を用いて断熱扉の質感を向上させることができるとともに、扉前面を突出部のない全面フラット感なすっきりとしたものとすることができ、しかも扉下端縁に設けた操作ブロックへの携帯端末のタッチ操作も透明板挿入部等による突出物がないので、これが邪魔になったり、これが原因の通信不良を引き起こすなどの事態も解消することができ、意匠性と信頼性を同時に工事用させることができる。
【００２３】
以下、本発明の実施の形態について、図面を参照しながら説明する。なお、この実施の形態では、扉の外装板としてガラス板等の透明前板を用いるとともに、透明前板の外周部を保持する透明前板挿入部を廃止して意匠性を向上させた冷蔵庫を例にして説明するが、これによって本発明が限定されるものではない。
【００２４】
（実施の形態１）
図１は本発明の実施の形態１における冷蔵庫の外観斜視図、図２は同冷蔵庫の正面図、図３は同冷蔵庫の模式断面図、図４は同図２のＡ−Ａ断面図、図５は同冷蔵庫の扉の一つを示す斜視図、図６は同冷蔵庫の扉の分解斜視図、図７は同冷蔵庫の扉の下端部構成を示す分解斜視図、図８は同冷蔵庫の基板支持体と操作ブロック及び表示ブロックを示す分解
斜視図、図９は同冷蔵庫の扉要部の断面図、図１０は同図５のＢ−Ｂ断面図、図１１は同図５のＣ−Ｃ断面図である。
【００２５】
図１〜図３において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に複数の貯蔵室を仕切形成してある。この貯蔵室は、冷蔵庫本体１の上部から、冷蔵室５、冷蔵室５の下に位置する切替室６及び切替室６に並設した製氷室７、切替室６及び製氷室７の下部に位置する冷凍室８と、冷凍室８の下部に位置する野菜室９となっている。また、前記冷蔵室５の前面は、観音開き式の断熱扉１０，１０（以下、観音式扉と称す）により開閉自由に閉塞し、切替室６及び製氷室７と冷凍室８と野菜室９の前面部は引き出し式の断熱扉１１，１２，１３，１４（以下、引き出し式扉と称す）によって開閉自由に閉塞してある。
【００２６】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２７】
ここで、上記各断熱扉１０〜１４は冷蔵庫本体１と同様硬質のウレタンを発泡充填して断熱性を持たせてあり、更に意匠性を向上させるべくその前面をガラス板等の透明前板で構成してある。
【００２８】
以下、扉１０を例にしてその構成について図４〜図１１を用いて説明する。なお、扉１０以外の扉１１〜１４も同様の構成である。
【００２９】
まず図５、図６において、２３は冷蔵庫本体１の内側に位置することになる内フレームで、例えばＡＢＳ樹脂で形成してある。２４はこの内フレーム２３の周端面に結合固定した縁枠で、ＡＢＳ樹脂で形成してある。２５は前記内フレーム２３を覆うようにその縁枠２４に積層配置したガラス板等の透明前板からなる扉外装板（以下、ガラス板と称す）で、この実施の形態では光沢のある強化ガラス板で形成してある。
【００３０】
このガラス板２５は図１０、図１１に示すようにその内面に接着剤２６を介して樹脂フィルム２７を貼り付け、この樹脂フィルム２７に絵模様、例えばヘアーラインのような金属調模様からなる着色層２８が形成してある。これによって、前記ガラス板２５は、あたかも着色層付きのガラス板となる。前記樹脂フィルム２７はこの実施の形態では透明性が高く機械的強度の高いポリエチレンテレフタレートを用い、着色層２８はホワイト系ではガラス板２５とは反対側面に形成し、グレー系ではガラス板２５側に形成してある。図面ではガラス板２５とは反対側面に形成した場合を示している。
【００３１】
２９は前記ガラス板２５の樹脂フィルム２７側の面と内フレーム２３と縁枠２４との間の空間に充填発泡させた硬質のウレタンで、発泡によって内フレーム２３及び縁枠２４とともに前記ガラス板２５内面の樹脂フィルム２７に接着し、当該樹脂フィルム２７を介してガラス板２５を接着保持している。
【００３２】
ここで、前記内フレーム２３の縁枠２４は図６に示す様に前記ガラス板２５と内フレーム２３との間の周囲の上下面を覆う横枠２４−１と、同ガラス板２５と内フレーム２３との間の周囲の左右側面を覆う縦枠２４−２とで構成してある。そして、この縁枠２４を構成する横枠２４−１と縦枠２４−２はいずれも前記ガラス板２５の外周部を挿入保持するガラス板挿入部を有しておらず、前記ガラス板２５はその外周部をそのまま露出させた構
成としてある。更に上記ガラス板２５はその外周縁を図１１に示すように縁枠２４の端面２４ｃより若干内側に位置させた構成としてある。
【００３３】
また、図４に示すように観音式の扉１０，１０はその把手部１０ａ，１０ａが横枠２４−１の下端面に上向きの凹部を形成して構成してある。また観音式の扉１０，１０直下の引き出し式の扉１１，１２の把手部１１ａ，１２ａは、引き出し式の扉１１，１２の下側の横枠２４−１の下端面に上向きの凹部を形成して構成してある。更にその下方の冷凍室８及び野菜室９の把手部１３ａ，１４ａは、それぞれの引き出し式の扉１３，１４の上側の横枠２４−１の上端面に下向きの凹部を形成して構成してある。そして、上記各把手部１０ａ，１０ａ，１１ａ，１２ａ，１３ａ，１４ａを形成した横枠２４−１はすでに述べた通り着色ガラス板挿入部を有しておらず、ガラス板２５の前面から突出することはない構成としてある。
【００３４】
以上のように構成された扉１０，１０の一方の下端部には図７に示す様に扉外装板となるガラス板２５の下端部内面側に基板支持体３１を組み込んで操作表示部３２が設けてある。この実施の形態では上記操作表示部３２の操作部としてアンテナ等の無線通信部３３が設けてある。
【００３５】
上記無線通信部３３はスマートフォン、ＰＤＣ等の携帯端末３４を接近（タッチ）させることによって携帯端末３４と無線通信し、携帯端末３４に冷蔵庫の使用状況、例えば扉開閉回数や消費電力量等の情報を送信するとともに、携帯端末３４から送信される冷蔵庫の冷却設定温度等の制御信号等を受信するようになっており、温度設定ボタン等の操作部としての機能を有するものである。この携帯端末３４を利用した冷蔵庫の無線通信構成については本願発明の要旨ではないので、その具体構成は省略するが、出願人の出願である特願２０１２−５５５５９号に記載されているものと同様である。
【００３６】
また、表示部としては冷蔵庫の動作状況を表示するものであり、例えばこの実施の形態では野菜等を新鮮な状態で保持する霧化装置（図示せずの）の動作状態を示すＬＥＤ等の発光体３５（図示８参照）や節電運転を行っていることを示す省エネ運転のＬＥＤ等からなる発光体３６（図８参照）であり、いずれも前記操作部となる無線通信部３３横の扉下端縁に沿って横設してある。なお、この各発光体３５，３６はカバー３５ａ，３６ａで覆ってあり、前記無線通信部３３も含めリード線３５ｂ（図６参照）によって冷蔵庫制御部（図示せず）に接続してある。
【００３７】
さて、このような操作表示部３２は、扉１０の下端面を覆う横枠２４−１に基板支持体挿入凹部３７（図６、図９参照）を一体形成し、この基板支持体挿入凹部３７に前記基板支持体３１を挿入固定して構成してある。
【００３８】
上記基板支持体３１は、図７、図８に示す様に基板取付部３８，３９と蓋板部４０とが一体成型してあり、基板支持体挿入凹部３７への挿入取り付けによってその基板取付部３８，３９がガラス板２５の下端部に設けてある操作及び表示イラスト３２ａに向き合うとともに、蓋板部４０が基板支持体挿入凹部３７の開口を閉塞している。
【００３９】
また、上記基板支持体３１の基板取付部３８，３９は扉下端縁に沿う如く横方向に一体形成されており、一方の基板取付部３８には前記したアンテナ等の無線通信部３３を装着した基板等からなる操作ブロック４１が、他方の基板取付部３９にはＬＥＤ等の表示体３５，３６を装着した基板等からなる表示ブロック４２がビス止め固定してある。そして、上記無線通信部３３がガラス板２５の操作部イラスト３２ａ−１と対向し、表示体３５，３６が表示イラスト３２ａ−２と対向している。
【００４０】
また、上記基板支持体３１にはその一方の基板取付部３９の上端部と蓋板部４０の左右両端部にそれぞれ前後方向の位置決めを行う位置決め部４３が一体形成してあり、基板支持体挿入凹部３７内に設けた凹部（図示せず）にそれぞれ嵌り込んで前後方向の位置が規制されている。
【００４１】
また、この実施の形態では特に上記操作表示部３２を組み込んだ観音式の扉１０の直下に位置する引き出し式の扉１１，１２の上端部は、図９に示す様に上方に行くほど後方に傾斜する傾斜面１１ｂ，１２ｂとしてあり、これによって操作表示部３２の下方に窪み空間が形成されるように構成してある。
【００４２】
一方、この実施の形態では扉外装板を重量の重いガラス板２５とし、なおかつこのガラス体２５の外周部を保持するガラス板挿入部を廃止したことにより懸念されるガラス板２５の接着保持を確実化する構成を備えており、以下その構成を説明する。
【００４３】
まず、前記ガラス板２５の樹脂フィルム２７側の面と内フレーム２３と縁枠２４との間の空間に充填発泡させた発泡ウレタン２９は、その発泡密度をガラス板２５の中央部分より外周部分の方を高く設定してある。
【００４４】
また、前記内フレーム２３の縁枠２４とガラス板２５の外周部とは両面テープ３０を介して接着してある。
【００４５】
これによって、前記ガラス板２５は発泡ウレタン２９に接着保持されるとともに両面テープ３０によって縁枠２４にも接着保持されることになる。
【００４６】
更にこの実施の形態では、図１０に示すように前記内フレーム２３の縁枠２４のうち、ガラス板２５の下端面に位置する横枠２４−１には、当該ガラス板２５の前面から前方に飛び出すことのない程度の寸法でガラス板下端面に重合する透明前板支持片（以下、ガラス板支持片と称す）２４ｄを設け、ガラス板２５の重量を支えるように構成してある。
【００４７】
以上のように構成した冷蔵庫において、以下その効果を説明すると、この冷蔵庫の操作表示部３２は、扉１０の下端面に凹設した基板支持体挿入凹部３７に基板支持体３１を挿入するとともに、前記基板支持体３１は断熱扉下端縁に沿った形の横長に形成して操作ブロック４１及び表示ブロック４２を扉下端部に沿った形で設けてあるから、基板支持体３１とガラス板２５との間の隙間は設計値通りの正確なものとすることができる。すなわち、この基板支持体３１を設けた扉１０下端の基板支持体挿入凹部３７は、凹形状であって、かつ、扉下端縁に沿った横長形状で扉下端縁からの凹寸法（図面上は上向き寸法）がそれほど大きくないものとなっているから、その強度は高く変形しにくいものとなっている。したがって、扉成型時に発泡ウレタンの発泡圧が加わっても基板支持体挿入凹部３７の変形はほとんど発生しない。そして、基板支持体３１はその蓋板部４０を基板支持体挿入凹部３７の開口に取り付けることによって基板支持体挿入凹部３７に装着保持されているので、凹部壁からガラス板２５に向かって弾発される場合のような凹部壁変形による位置ずれの恐れもない。したがって、これらの各作用によって扉１０のガラス板２５と基板支持体３１に搭載されている操作ブロック４１との間の寸法は設計通りのものとなり、操作ブロック４１の無線通信部３３に携帯端末３４をタッチさせた時の操作不良（通信不良）を解消することができる。しかも、基板支持体３１を扉下面に取り付けていることによって扉１０にかかる水の操作ブロック部分への侵入懸念も解消することができる。
【００４８】
また、この実施の形態では前記基板支持体３１には基板支持体挿入凹部３７の開口を覆う蓋板部４０を一体形成してあるから、基板支持体３１を基板支持体挿入凹部３７へ挿入してその蓋板部４０を取り付ける一工程で基板支持体３１の取り付けが完了し、組立性が
向上する。
【００４９】
さらに、前記基板支持体３１には基板支持体挿入凹部３７への挿入によって前後方向の位置決めを行う位置決め部４３が設けてあるから、基板支持体３１を基板支持体挿入凹部３７に挿入するだけで当該基板支持体３１の前後方向の位置決めができてガラス板２５と操作ブロック４１の無線通信部３３との間の寸法を精度よく出すことができ、携帯端末３４のタッチ操作による操作不良の恐れをより少なくできてその信頼性をさらに高めることができる。
【００５０】
また、前記基板支持体３１を組み込んだ扉１０の下方の扉１１，１２の上端部は上方に行くほど後方に傾斜する傾斜面１１ｂ，１２ｂとして窪みを持たせてあるから、使用者が基板支持体３１に設けた無線通信部３３に携帯端末３４をタッチさせる際、携帯端末３４を持っている指の逃げができて当該指が操作ブロック４１下方の扉１２の上端前面に当たって操作しにくくなったり、タッチ不足によって通信不良を引き起こしたりするなどのことを防止でき、使い勝手と信頼性のより高いものとすることができる。
【００５１】
さらに、前記扉１０の外装板はガラス板２５で構成するとともに、縁枠２４はガラス板挿入部のない形状として前記ガラス板２５の外周部はガラス板挿入部で覆うことなくそのまま露出状態としてあるから、扉外装板をガラス板２５としたことによる質感の向上効果を得つつ、突出部のない全面フラットなすっきりとしたデザインとすることができる。しかもガラス板下端周縁部にガラス板挿入部等による突出物がないので、扉下端縁に設けた操作ブロック４１の無線通信部３３への携帯端末３４のタッチ操作時に突出部が存在していてこれが邪魔になるようなこともなくなり、携帯端末３４のタッチ操作が容易かつ確実に行うことができるとともに、扉下端部に存在する突出部に邪魔されて携帯端末３４のタッチ不足を引き起こし、通信不良が発生するなどの事態も解消することができ、意匠性と信頼性を同時に向上させることができる。
【００５２】
また、この冷蔵庫は前記した如く、ガラス板２５を保持するガラス板挿入部がなく、かつ、把手部１０ａ〜１４ａも扉端部に凹設して形成してあるから、その各断熱扉１０〜１４の前面を構成するガラス板２５の表面部はガラス板挿入部や把手部１０ａ〜１４ａによる出っ張り感の無いものとなって、複数の扉を備えているのにもかかわらずフラット感のあるスッキリとしたものとすることができる。
【００５３】
また、操作表示部を組み込んだ扉１０，１０直下にある引き出し式扉１２，１３に設けた傾斜面１１ｂ，１２ｂは操作表示部の横に凹設してある扉１０，１０の把手部１０ａ，１０ａへの手挿入を容易なものとする作用を果たし、使い勝手も向上させることができる。  
【００５４】
その結果、この冷蔵庫では上記観音式扉１０，１０とその直下にある引き出し式扉１１，１２との間の隙間を狭くすることができる。この観音式扉１０，１０とその直下にある引き出し式扉１１，１２との間の隙間は、比較的高いところに位置しているため使用者の目につきやすいところであるが、上記隙間が狭いために観音式扉１０，１０と引き出し式扉１１，１２との一体感やフラット感を良好に維持できる。
【００５５】
また、前記観音式扉１０，１０の左右扉同士間の隙間も、把手部１０ａ，１０ａを扉下端面に凹設したことによって、左右扉間に把手部を設ける必要がなくなって狭くすることができ、観音式扉１０，１０の左右扉の一体感やフラット感も良好なものとすることができる。
【００５６】
またこの冷蔵庫の扉は、発泡ウレタンによる接着力でガラス板を接着保持しているが、
上記発泡ウレタン２９はその発泡密度をガラス板２５の中央部分より外周部分の方が高くなるようにしてあるから、発泡ウレタン２９の接着力はガラス板２５の外周部分のほうが強くなる。これにより、ガラス板２５の樹脂フィルム２７と発泡ウレタン２９との接着力を長期間に亘って確実に維持保障することができる。
【００５７】
すなわち、発泡ウレタン２９の外周部はその発泡密度が高い、換言すると、ごく微細に発泡したスキン層となっているため、その接着面積が大きく、その結果、発泡ウレタン２９とガラス板２５の樹脂フィルム２７との接着密度は高く強固なものとなっているのである。よって、ガラス板挿入部を廃止してもガラス板２５を長期間に亘って確実に発泡ウレタン２９に接着保持することができる。
【００５８】
更に上記扉は、ガラス板２５を発泡ウレタン２９で接着保持すると同時に、ガラス板２５の外周部は両面テープ３０によって内フレーム２３の縁枠２４に接着してあるから、ガラス板２５は発泡ウレタン２９との接着に加え両面テープ３０を介して縁枠２４にも接着されることになる。よって、樹脂フィルム２７を貼り付けた着色層付きのガラス板２５は発泡ウレタン２９と縁枠２４の両方に強力に接着保持されることになり、長期間に亘ってガラス板２５の接着強度を維持保障することができる。
【００５９】
加えて、上記両面テープ３０はガラス板２５の外周部を内フレーム２３の縁枠２４に接着しているから、扉に掛かる水が扉端部から扉内方へ侵入し、この水侵入による発泡ウレタン２９とガラス板２５との接着剥がれを確実に防止することができ、ガラス板２５の接着保持を長期間に亘って保障することができる。
【００６０】
なお、上記ガラス板２５と発泡ウレタン２９との接着力は寿命加速試験を行った結果、その接着力は１．０ｇ／ｃｍ２以上、好ましくは２．６ｇ／ｃｍ２以上とするのが好ましく、これにより、発泡ウレタン２９の熱収縮等の経年変化による多少の接着力劣化があっても確実に樹脂フィルム２７と発泡ウレタン２９との接着強度を保障することができ、ひいてはガラス板２５の接着強度を長期間に亘って維持保障することができて、信頼性の高いものとすることができた。
【００６１】
上記接着力の測定方法は、接着剤の重ね合わせせん断接着強さの標準的な測定方法である「ＪＩＳ  Ｋ  ６８５０（接着剤−剛性被着材の引張せん断  接着強さ試験方法）」に基づく。
【００６２】
更にこの実施の形態では、前記内フレーム２３の縁枠２４のうち、ガラス板２５の下端面に位置する横枠２４−１には当該ガラス板２５の前面から前方に飛び出すことなくガラス板下端面に重合するガラス板支持片２４ｄが位置しているから、ガラス板２５はその重量を内フレーム２３の横枠２４−１のガラス板支持片２４ｄによって支持されることになる。よって、万が一、発泡ウレタン２９によるガラス板２５の接着力の劣化によってガラス板２５の剥がれが部分的に生じるようなことがあったとしても、ガラス板２５が落下する等の異常事態は確実に防止でき安心感が大きく向上する。また、前記縁枠２４のガラス板支持片２４ｄはガラス板前面より飛び出すことがないので、ガラス板挿入部のように扉前面から見えることもなく、意匠性及び全面フラット感は良好なまま維持できる。
【００６３】
以上、本発明の主な実施形態を説明したが、上記実施の形態は本発明を実施するうえでの一例として示したものであり、本発明の目的を達成する範囲内で種々変更可能であることは言うまでもない。
【００６４】
例えば、操作表示部の操作部として無線通信部を例示したが、これは静電スイッチ等にして使用者が指で直接操作するタイプのものであってもよく、操作部として機能するもの
であればどのようなものであってもよいものである。
【００６５】
また、扉外装板としてガラス板を例示したが、これは金属板であってもよく、また、ガラス板は透明樹脂板に置き換えても良く、これによって軽量化による接着強度の更なる保障が可能となり、しかも低コスト化を図ることができることになる。
【産業上の利用可能性】
【００６６】
以上のように本発明は、操作表示部の基板支持体と扉外装板との間の寸法を精度よく出すことができて操作不良の懸念を払拭した冷蔵庫を提供でき、一般用はもちろん業務用の冷蔵庫やワインクーラーにも幅広く適用できる。
【符号の説明】
【００６７】
１  冷蔵庫本体
２  外箱
３  内箱
４  発泡ウレタン
５  冷蔵室
６  切替室
７  製氷室
８  冷凍室
９  野菜室
１０  断熱扉（扉）
１１，１２，１３，１４  断熱扉（引き出し式扉）
１０ａ，１１ａ，１２ａ，１３ａ，１４ａ  把手部
１１ｂ，１２ｂ  傾斜面
１６  冷却室
１７  冷却器
１８  送風ファン
１９  圧縮機
２０  放熱パイプ
２１  キャピラリーチューブ
２３  内フレーム
２４  縁枠
２４−１  横枠
２４−２  縦枠
２４ｃ  端面
２４ｄ  透明前板支持片（ガラス板支持片）
２５  扉外装板（ガラス板）
２６  接着剤
２７  樹脂フィルム
２８  着色層
２９  発泡ウレタン
３０  両面テープ
３１  基板支持体
３２  操作表示部
３３  無線通信部（操作部）
３４  携帯端末
３５，３６  表示体（表示部）
３７  基板支持体挿入凹部
３８，３９  基板取付部
４０  蓋板部
４１  操作ブロック
４２  表示ブロック
４３  位置決め部
【図１】
2015048985.tif 000003
【図２】
2015048985.tif 000004
【図３】
2015048985.tif 000005
【図４】
2015048985.tif 000006
【図５】
2015048985.tif 000007
【図６】
2015048985.tif 000008
【図７】
2015048985.tif 000009
【図８】
2015048985.tif 000010
【図９】
2015048985.tif 000011
【図１０】
2015048985.tif 000012
【図１１】
2015048985.tif 000013
【図１２】
2015048985.tif 000014